(57)【要約】【課題】  予備電源部からの電力供給時における画像データの受信を直ちに確認可能にすること。【解決手段】ＦＣＵ部１４のＣＰＵ１４１は、予備電源部１７から電力が供給されている場合、回線Ｉ／Ｆ部１４４に、画情報の受信のみを行わせ、受信された画情報をＤＲＡＭ１４２に保存する。その画情報の保存を通知するために、ＣＰＵ１４１は、回線Ｉ／Ｆ部１４４に接続されているスピーカからブザー音を放音させると共に、操作部１３に指示して、操作部１３が備えるＦＡＸステータスＬＥＤを点灯させる。予備電源部１７からの電力供給時、コントローラ部１２、及びエンジン部１５への電力供給は停止される。【選択図】図１
2018022982.tif 000002
【特許請求の範囲】
【請求項１】
画像データを受信可能な通信部と、
前記通信部が受信した前記画像データが記憶される記憶部と、
外部からの電力供給が停止した場合に電力を供給する予備電源部と、
前記予備電源部から電力を供給している状況下で前記通信部が前記画像データを受信して該画像データを前記記憶部に記憶させた場合に、該画像データの受信を通知するための制御を行う通知制御部と、
を備えることを特徴とする画像形成装置。
【請求項２】
前記予備電源部から電力を供給している状況下で前記記憶部に記憶されている画情報の表示指示が可能な操作部と、
前記操作部への操作により前記表示指示が行われた場合に、前記記憶部に記憶されている画情報を表示装置上に表示させる表示制御部と、
を更に備えることを特徴とする請求項１記載の画像形成装置。
【請求項３】
前記通知制御部は、表示、及び音の放音のうちの少なくとも一方により、前記画像データの受信を通知する、ことを特徴とする請求項１記載の画像形成装置。
【請求項４】
前記通知制御部は、前記予備電源部の蓄電残量に基づいて、前記制御の内容を変更する、ことを特徴とする請求項１乃至３の何れか１項に記載の画像形成装置。
【請求項５】
外部からの電力供給が停止した場合に電力を供給する予備電源部を搭載した画像形成装置に、
前記予備電源部から電力を供給している状況下で通信部が画像データを受信した場合に、該画像データを記憶部に記憶させ、
前記画像データの受信を通知するための制御を行わせる、
ことを特徴とする画像形成装置の制御方法。
【発明の詳細な説明】
【技術分野】
【０００１】
本発明は、画像形成装置、及び画像形成装置の制御方法に関する。
【背景技術】
【０００２】
画像を記録媒体上に形成する画像形成装置のなかには、通信機能を備えたものがある。公衆回線を介した画像データ（画情報）の送受信が可能な画像形成装置は、ファクシミリ装置として用いることができる。
【０００３】
通常、画像形成装置は、外部からの電力供給を前提とする。しかし、停電、何らかの障害の発生、或いは人為的なミス、等により、外部からの電力供給が停止する場合がある。このことから、外部からの電力供給の停止時にも動作が可能なように、二次電池（バッテリ）を備えた予備電源部を搭載した画像形成装置が製品化されている。
【０００４】
二次電池の蓄電容量には限界がある。外部からの電力供給が再開するまでに比較的に長い時間を要する可能性がある。このことから、予備電源部を搭載した従来の画像形成装置のなかには、外部からの電力供給の停止時、つまり予備電源部からの電力の供給時、画像データの受信のみを可能として、予備電源部による動作時間をより長くさせているものがある（例えば特許文献１参照）。その画像形成装置では、画像データを受信した場合、受信した画像データをメモリに保存して、記録媒体上への画像形成は行わないようにしている。
【発明の概要】
【発明が解決しようとする課題】
【０００５】
この画像形成装置では、外部からの電力供給の再開により、受信した画像データを用いた記録媒体上への画像形成を行うようになっている。それにより、ユーザは、その記録媒体上への画像形成により、画像データの受信を確認することができる。
【０００６】
しかし、受信された画像データのなかには、緊急性の高いものが存在する場合がある。外部からの電力供給の再開までに長い時間を要することがあり得る。このことから、画像データの受信はユーザが直ちに確認できるようにするのが重要である。
【０００７】
本発明は、このような課題を解決するためになされたものであり、予備電源部からの電力供給時における画像データの受信を直ちに確認可能にすることを目的とする。
【課題を解決するための手段】
【０００８】
上記課題を解決するために、本発明の一態様は、画像データを受信可能な通信部と、前記通信部が受信した前記画像データが記憶される記憶部と、外部からの電力供給が停止した場合に電力を供給する予備電源部と、前記予備電源部から電力を供給している状況下で前記通信部が前記画像データを受信して該画像データを前記記憶部に記憶させた場合に、該画像データの受信を通知するための制御を行う通知制御部と、を備えることを特徴とする。
【発明の効果】
【０００９】
本発明によれば、予備電源部からの電力供給時における画像データの受信をユーザは直ちに確認することができる。
【図面の簡単な説明】
【００１０】
【図１】本実施形態による画像形成装置の構成例を説明する図である。
【図２】操作部の構成例を説明する図である。
【図３】回線Ｉ／Ｆ部の構成例を説明する図である。
【図４】本実施形態による画像形成装置でのモード遷移例を説明する図である。
【図５】受信制御処理を示すフローチャートである。
【図６】受信制御処理を示すフローチャートである（続き）。
【図７】受信制御処理を示すフローチャートである（他の実施形態での続き）。
【発明を実施するための形態】
【００１１】
以下、図面を参照して、本発明の実施形態を詳細に説明する。図１は、本実施形態による画像形成装置の構成例を説明する図である。
【００１２】
この画像形成装置１は、電源プラグ１１を介して外部から供給される電力により動作するタイプである。図１に示すように、この画像形成装置１は、コントローラ部１２、操作部１３、ＦＣＵ（Ｆａｃｓｉｍｉｌｅ  Ｃｏｎｔｒｏｌ  Ｕｎｉｔ）部１４、エンジン部１５、ＰＳＵ（Ｐｏｗｅｒ  Ｓｕｐｐｌｙ  Ｕｎｉｔ）１６、及び予備電源部１７を備えている。
【００１３】
コントローラ部１２は、画像形成装置１全体を制御する１つの情報処理装置である。図１に示すように、このコントローラ部１２は、ＣＰＵ（Ｃｅｎｔｒａｌ  Ｐｒｏｃｅｓｓｉｎｇ  Ｕｎｉｔ）１２１、ＮＢ（Ｎｏｒｔｈ  Ｂｒｉｄｇｅ）１２２、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１２３、メモリ１２４、メモリ１２５、ハードディスク装置（ＨＤＤ：Ｈａｒｄ  Ｄｉｓｋ  Ｄｒｉｖｅ）１２６、ＳＢ（Ｓｏｕｔｈ  Ｂｒｉｄｇｅ）１２７、バス１２８、マイクロコントローラ（以降「マイコン」と略記）１２９、ＮＩＣ（Ｎｅｔｗｏｒｋ  Ｉｎｔｅｒｆａｃｅ  Ｃａｒｄ）１３０、ＵＳＢ（Ｕｎｉｖｅｒｓａｌ  Ｓｅｒｉａｌ  Ｂｕｓ）コントローラ１３１、及びＡＳＩＣ１３２を備えている。
【００１４】
メモリ１２４には、ファームウェア（例えばＢＩＯＳ（Ｂａｓｉｃ  Ｉｎｐｕｔ／Ｏｕｔｐｕｔ  Ｓｙｓｔｅｍ））、及びＯＳ（Ｏｐｅｒａｔｉｎｇ  Ｓｙｓｔｅｍ）が格納されている。ハードディスク装置１２６には、各種アプリケーション・プログラムが格納されている。
【００１５】
ＣＰＵ１２１は、始めに、ＮＢ１２２を介してメモリ１２４のファームウェアを読み出し、読み出したファームウェアを、ＮＢ１２２，及びＡＳＩＣ１２３を介してメモリ１２５に書き込み、実行する。次に、ＣＰＵ１２１は、同様にして、メモリ１２４のＯＳをメモリ１２５に書き込み、実行する。ハードディスク装置１２６上のアプリケーション・プログラムは、ＮＢ１２２、及びＡＳＩＣ１２３を介して読み出され、ＮＢ１２２、及びＡＳＩＣ１２３を介してメモリ１２５に書き込まれ、ＣＰＵ１２１に実行される。それにより、ＣＰＵ１２１は、メモリ１２５をワークに用いて処理を行う。
【００１６】
ＮＢ１２２、及びＳＢ１２７は共に、ＣＰＵ１２１が構成要素にアクセスするための中継機能を提供する。ＡＳＩＣ１２３には、メモリ１２５、ハードディスク装置１２６の他に、バス１８が接続されており、メモリ１２５、及びハードディスク装置１２６へのアクセス、並びにバス１８を介した通信をサポートする。
【００１７】
ＳＢ１２７にはバス１２８が接続されており、そのバス１２８には、マイコン１２９、ＮＩＣ１３０、ＵＳＢコントローラ１３１、及びＡＳＩＣ１３２が接続されている。ＣＰＵ１２１は、ＮＢ１２２、及びＳＢ１２７を介して、これらを制御する。
【００１８】
マイコン１２９は、ＣＰＵ、ＲＡＭ、及びＲＯＭを搭載した１つの情報処理装置である。マイコン１２９は、ＣＰＵ１２１の指示に従い、そのＣＰＵ１２１をサポートし、ＮＩＣ１３０、及びＵＳＢコントローラ１３１を制御する。
【００１９】
操作部１３は、ユーザとのインターフェースを提供する１つの情報処理装置である。図２に示すように、操作部１３は、ＣＰＵ２０１、ＲＯＭ（Ｒｅａｄ  Ｏｎｌｙ  Ｍｅｍｏｒｙ）２０２、ＲＡＭ２０３、ＬＣＤ（Ｌｉｑｕｉｄ  Ｃｒｙｓｔａｌ  Ｄｉｓｐｌａｙ）２０４、キー入力コントローラ２０５、Ｉ／Ｆ（ＩｎｔｅｒＦａｃｅ）コントローラ２０６、ＬＥＤ（Ｌｉｇｈｔ  Ｅｍｉｔｔｉｎｇ  Ｄｉｏｄｅ）２０７、タッチパネル２０８、タッチパネルコントローラ２０９、キー群２１０、ＬＥＤ群２１１、及びバス２１２を備えている。
【００２０】
ＲＯＭ２０２は、不揮発性のメモリであり、ＣＰＵ２０１が実行するファームウェアが格納されている。ＣＰＵ２０１は、このファームウェアをＲＯＭ２０２からＲＡＭ２０３に読み出して実行することにより、操作部１３全体の制御を行う。それにより、ＣＰＵ２０１は、ＲＡＭ２０３をワークに用いる。
【００２１】
ＬＣＤ２０４は、各種画面、或いは情報、等の表示に用いられる。タッチパネル２０８は、ＬＣＤ２０４上に表示させた画面への操作に用いられる。タッチパネルコントローラ２０９は、タッチパネル２０８上で操作された位置を検知し、その検知結果をＣＰＵ２０１に通知する。
【００２２】
ＣＰＵ２０１は、ＬＣＤ２０４上に表示させるべき画面（画像）を表示させると共に、タッチパネルコントローラ２０９から通知された検知結果を解析して、ＬＣＤ２０４上への画像表示に反映させる。それにより、ユーザは、タッチパネル２０８への操作を通して、所望のデータ入力（各種コマンド入力を含む）を行うことができる。
【００２３】
キー群２１０は、ユーザによる各種データ入力のための操作子群である。キー群２１０へのユーザの操作は、キー入力コントローラ２０５によって検知され、その検知結果がＣＰＵ２０１に通知される。それにより、ユーザは、キー群２１０への操作を通して、所望のデータ入力を行うこともできる。
【００２４】
Ｉ／Ｆコントローラ２０６は、外部との通信用のコントローラである。ここでは、コントローラ部１２のＡＳＩＣ１３２、及びＦＣＵ部１４のＣＰＵ１４１との通信用のデバイスとして示している。
【００２５】
ＬＥＤ群２１１を構成するＬＥＤとしては、電源のオン／オフを示すもの、データ通信が可能か否かを示すもの、等の他に、外部からの電力供給の停止時における画像データ（以降「画情報」と表記）の受信の有無を示すもの（以降「ＦＡＸステータスＬＥＤ」と表記）２１１ａがある。ＬＥＤコントローラ２０７は、ＣＰＵ２０１の指示に従い、ＬＥＤ群２１１のなかで点灯させるべきＬＥＤを点灯（ここでは点滅を含む）させる。
【００２６】
図１の説明に戻る。ＦＣＵ部１４は、公衆回線を介した画情報の送受信を可能にする１つの情報処理装置である。図１に示すように、このＦＣＵ部１４は、ＣＰＵ１４１、ＤＲＡＭ（Ｄｙｎａｍｉｃ  ＲＡＭ）１４２、マイコン１４３、回線Ｉ／Ｆ部１４４、ＳＲＡＭ（Ｓｔａｔｉｃ  ＲＡＭ）１４５、ＦｅＲＡＭ（Ｆｅｒｒｏｅｌｅｃｔｒｉｃ  ＲＡＭ）１４６、及びバス１４７を備えている。
【００２７】
ＦｅＲＡＭ１４６は、不揮発性のメモリであり、ＣＰＵ１４１が実行するプログラムの格納に用いられている。ＤＲＡＭ１４２は、ＣＰＵ１４１のワークに用いられる。ＣＰＵ１４１は、ＦｅＲＡＭ１４６に格納されているプログラムをＤＲＡＭ１４２に読み出して実行することにより、ＦＣＵ部１４全体の制御を行う。ＣＰＵ１４１、ＤＲＡＭ１４２、ＦｅＲＡＭ１４６、及びバス１４７は、本実施形態における狭義の通知制御部に相当する。
【００２８】
ＣＰＵ１４１は、外部からの電力供給の停止時（以降、この停止時は主な原因として考えられる停電を想定し、「停電時」と表記する）、動作を中断させる対象となる。マイコン１４３は、ＣＰＵ、ＲＯＭ、及びＲＡＭを搭載した１つの情報処理装置であり、ＣＰＵ１４１の動作が中断されている間、各部の監視、及び制御を行う。
【００２９】
ＳＲＡＭ１４５は、継続的に記憶させることが必要な情報の記憶に用いられる。そのＳＲＡＭ１４５へのアクセスは、主にＣＰＵ１４１によって行われる。
【００３０】
回線Ｉ／Ｆ部１４４は、公衆回線を介した通信を実際に行うデバイスである。停電時、回線Ｉ／Ｆ部１４４が受信した画情報は、ＤＲＡＭ１４２に蓄積（保存）される。それにより、ＤＲＡＭ１４２は、本実施形態における記憶部に相当する。回線Ｉ／Ｆ部１４４は、本実施形態における通信部に相当する。
【００３１】
図３は、回線Ｉ／Ｆ部の構成例を説明する図である。この回線Ｉ／Ｆ部１４４は、図３に示すように、モデム（Ｍｏｄｅｍ）３０１、ＳｉＤＡＡ（Ｓｉｌｉｃｏｎ  Ｄａｔａ  Ａｃｃｅｓｓ  Ａｒｒａｎｇｅｍｅｎｔ）（ＳＳＤ：Ｓｙｓｔｅｍ  Ｓｉｄｅ  Ｄｅｖｉｃｅ）３０２、ＳｉＤＡＡ（ＬＳＤ：Ｌｉｎｅ  Ｓｉｄｅ  Ｄｅｖｉｃｅ）３０３、１次側通信回路３０４、スピーカ駆動回路３０５、外付ＴＥＬ鳴動回路３０６、ＤＴＭＦ（Ｄｕａｌ  Ｔｏｎｅ  Ｍｕｌｔｉ−Ｆｒｅｑｕｅｎｃy）レシーバ３０７、リレー３０８、オフフック検出回路３０９、及び極性反転検出回路３１０を備えている。
【００３２】
モデム３０１は、画情報、或いは音声信号の変調／復調を行うと共に、トーン検出／送出等を行う。ＳｉＤＡＡ（ＳＳＤ）３０２、ＳｉＤＡＡ（ＬＳＤ）３０３、及び１次側通信回路３０４は網制御装置（ＮＣＵ）を実現させる構成要素である。モデム３０１と網制御装置により、公衆回線を介した通信が可能となる。
【００３３】
スピーカ駆動回路３０５は、ＳｉＤＡＡ（ＳＤＤ）３０２の制御により、回線Ｉ／Ｆ部１４４に接続されているスピーカ３１を駆動して放音させる。
【００３４】
外付ＴＥＬ鳴動回路３０６は、外付け電話機が回線Ｉ／Ｆ部１４４を介して公衆回線に接続可能な場合に、モデム３０１の制御により、その外付け電話機を鳴動させる回路である。
【００３５】
ＤＴＭＦレシーバ３０７は、外付け電話機が回線Ｉ／Ｆ部１４４を介して公衆回線に接続可能な場合に、その外付け電話機からのＤＴＭＦ信号を検出してモデム３０１にその検出結果を送信する回路である。
【００３６】
オフフック検出回路３０９は、外付け電話機が回線Ｉ／Ｆ部１４４を介して公衆回線に接続可能な場合に、その外付け電話機の送受話器を取り外す操作であるオフフックを検出する回路である。その検出結果は、モデム３０１、及びマイコン１４３に送信される。
【００３７】
公衆回線を介した通信では、相手側の応答によってその回線の極性が反転する。極性反転検出回路は、その極性の反転を検出し、その検出結果をマイコン１４３に送信する回路である。
【００３８】
リレー３０８は、外付け電話機が回線Ｉ／Ｆ部１４４を介して公衆回線に接続可能な場合に、その外付け電話機を公衆回線に接続するか否かを切り替えるためのものである。その切り替えは、モデム３０１によって制御される。
【００３９】
図１の説明に戻る。エンジン部１５は、例えば電子写真方式を用いて記録媒体上に画像形成を行うための１つの情報処理装置である。ＣＰＵ１５１は、エンジン部１５全体を制御する。
【００４０】
ＰＳＵ１６は、外部から供給された電力を用いて、各部に供給すべき電力を生成する装置である。予備電源部１７は、二次電池（バッテリ）、その充電回路、二次電池の蓄電残量を検出する残量検出回路、ＰＳＵ１６からの給電の停止を検出する給電停止検出回路、及びＣＰＵ等を備えた１つの情報処理装置である。この予備電源部１７は、ＰＳＵ１６からの電力供給が停止した場合、つまり停電等が発生するか、或いはＰＳＵ１６が故障した場合、自動的に電力供給を開始するようになっている。
【００４１】
図４は、本実施形態による画像形成装置のモード遷移例を説明する図である。ＰＳＵ１６からの電力供給が行われている場合、画像形成装置１は、図４に示すように、スタンバイモードＭ１、予熱モードＭ２、低電力モードＭ３、静音モードＭ４、エンジンオフモードＭ５、及びＳＴＲ（Ｓｕｓｐｅｎｄ  Ｔｏ  Ｒａｍ）モードＭ６間を稼働状況に応じて遷移する。ＰＳＵ１６からの電力供給が停止した場合、スタンバイモードＭ１、エンジンオフモードＭ５、及びＳＴＲモードＭ６のうちの何れかから停電エンジンオフモードＭ７に遷移する。
【００４２】
この停電エンジンオフモードＭ７では、予備電源部１７から、ＦＣＵ部１４、及び操作部１３にのみ電力が供給される。そのように電力の供給先を限定することにより、予備電源部１７により動作可能な時間がより長くなるようにさせている。このとき、操作部１３は、ＦＣＵ部１４によって制御される。
【００４３】
このモードＭ７では、ＦＣＵ部１４のＣＰＵ１４１は、画情報の受信のみを可能にさせる。回線Ｉ／Ｆ部１４４が画情報を受信した場合、ＣＰＵ１４１は、受信された画情報をＤＲＡＭ１４２に蓄積し、操作部１３に対し、上記ＦＡＸステータスＬＥＤ２１１ａの点灯を依頼（指示）する。また、回線Ｉ／Ｆ部１４４に指示して、スピーカ３１からの放音を行わせる。
【００４４】
操作部１３への指示は、Ｉ／Ｆコントローラ２０６により受信され、ＣＰＵ２０１に通知される。それにより、ＣＰＵ２０１は、ＬＥＤコントローラ２０７に指示して、ＦＡＸステータスＬＥＤ２１１ａを点灯（例えば点滅）させる。
【００４５】
このＦＡＸステータスＬＥＤ２１１ａの点灯させる表示による視覚的な通知、及びスピーカ３１からの放音による聴覚的な通知により、ユーザは、停電時の画情報の受信を直ちに認識することが可能になる。そのため、ユーザは、受信された画情報への対応も、より適切に行えるようになる。なお、ＦＡＸステータスＬＥＤ２１１ａを用いた表示を採用しているのは、ＬＥＤの点灯による消費電力量が非常に小さいためである。より省電力のＬＣＤ等を用いた表示を採用しても良い。
【００４６】
このような画情報の受信を通知するための制御は、予備電源部１７の蓄電残量に応じて行われる。ＣＰＵ１４１は、随時、予備電源部１７から蓄電残量を示す情報（以降「残量情報」と表記）を取得して、その制御に反映させる。それにより、蓄電残量が所定値以上を条件に、ＣＰＵ１４１はスピーカ３１からの放音を行わせる。そのように、蓄電残量に応じて通知のための制御内容を変更することにより、蓄電残量の状況に応じて消費電力量を適切な形で抑制することができる。その抑制により、予備電源部１７による動作をより長くさせることができる。
【００４７】
この停電エンジンオフモードＭ７から遷移する停電ＳＴＲモードＭ８では、予備電源部１７からの電力は、操作部１３、及びＦＣＵ部１４の一部にのみ供給される。その一部とは、マイコン１４３、及び回線Ｉ／Ｆ部１４４である。
【００４８】
ＣＰＵ１４１は、そのように電力供給範囲を変更するために、予備電源部１７への指示を行う。自身の消費電力は、搭載された省電力機能により電力消費を停止させる。これは、マイコン１４３からの例えば割り込みにより、自身を動作状態に自律的に復帰させることを可能にするためである。それにより、停電ＳＴＲモードＭ８からの停電エンジンオフモードＭ７への遷移（移行）は、マイコン１４３の制御により実現される。このことから、本実施形態における通知制御部には、マイコン１４３を含めることができる。
【００４９】
マイコン１４３は、ＡＳＩＣ１３２とＣＰＵ１４１を接続する信号路を監視して、その信号路のレベル変化を検出し、そのレベル変化を検出した場合に、ＣＰＵ１４１を動作状態に復帰させるための割り込みを発生させる。そのレベル変化は、ＰＳＵ１６からの電力供給が再開した場合に主に発生する。
【００５０】
また、マイコン１４３は、回線Ｉ／Ｆ部１４４のオフフック検出回路３０９、及び極性反転検出回路３１０がそれぞれ出力する信号を監視する。それにより、外付け電話機の送受話器のオフフック、或いは呼出信号の検出により、マイコン１４３はその割り込みを発生させる。
【００５１】
本実施形態では、ＰＳＵ１６からの電力供給の停止時、画情報の受信のみを可能とさせる。外付け電話機を用いた電話は制御の対象外としている。このことから、通常、送受話器のオフフックが行われた場合、そのオフフックが行われた後、ＣＰＵ１４１は、自身の動作を中断させ、停電ＳＴＲモードＭ８に遷移させることになる。
【００５２】
呼出信号が検出された場合、ＣＰＵ１４１は、予備電源部１７に指示して、ＦＣＵ部１４全体に電力を供給させ、停電エンジンオフモードＭ７に遷移させる。その遷移により、ＣＰＵ１４１は、受信される画情報をＤＲＡＭ１４２に蓄積し、その蓄積後、ＦＡＸステータスＬＳＤ２１１ａの点灯、等を行わせる。
【００５３】
上記のような制御は、マイコン１４３が発生させる割り込みにより、ＦｅＲＡＭ１４６に格納されている割り込み用のプログラム（以降「受信制御プログラム」と表記）１４６ａを実行することで実現される。次に、ＣＰＵ１４１がその受信制御プログラム１４６ａを実行することで実現される受信制御処理について、図５及び図６に示すそのフローチャートを参照して詳細に説明する。
【００５４】
ＳＴＲモードＭ６時でも、ＣＰＵ１４１は動作を中断させている。このことから、受信制御プログラム１４６ａは、ＣＰＵ１４１が動作を中断させている状況下でマイコン１４３が発生させる割り込みに対応したものとなっている。
【００５５】
この受信制御プログラム１４６ａに制御が渡った場合、ＣＰＵ１４１は、先ず、ＳＴＲモードＭ６からの復帰か否か判定する（Ｓ５１）。ＰＳＵ１６から電力が供給されている場合、ＳＴＲモードＭ６からの復帰であると見なされ、判定はＹＥＳとなってＳ５２に移行する。予備電源部１７から電力が供給されている場合、判定はＮＯとなってＳ５３に移行する。
【００５６】
Ｓ５２では、ＣＰＵ１４１は、図４に示すようにエンジンオフモードＭ５への遷移に対応するための通常の処理を実行する。その後、この受信制御処理が終了する。ＡＳＩＣ１３２とＣＰＵ１４１を接続する信号路のレベル変化による割り込みの場合、このＳ５２の処理が実行される。その結果、状況に応じて、停電エンジンオフモードＭ７からモードＭ２〜Ｍ５のうちの何れかに移行することになる。
【００５７】
一方、Ｓ５３では、ＣＰＵ１４１は、呼出信号が検出されたか否か判定する。マイコン１４３が極性反転検出回路３１０の出力信号の監視により割り込みを発生させていた場合、判定はＹＥＳとなってＳ５４に移行する。マイコン１４３が極性反転検出回路３１０の出力信号の監視により割り込みを発生させていない場合、判定はＮＯとなってＳ５６に移行する。
【００５８】
Ｓ５６では、ＣＰＵ１４１は、送受話器のオフフックが検出されたか否か判定する。マイコン１４３がオフフック検出回路３０９の出力信号の監視により割り込みを発生させていた場合、判定はＹＥＳとなってＳ５７に移行する。マイコン１４３が極性反転検出回路３１０の出力信号の監視により割り込みを発生させていない場合、判定はＮＯとなってＳ５８に移行する。
【００５９】
Ｓ５７では、ＣＰＵ１４１は、送受話器のオンフックが検出されるのを待つ。そのオンフックが検出された場合、Ｓ５７の判定がＹＥＳとなってＳ５８に移行し、ＣＰＵ１４１は、停電ＳＴＲモードＭ８に移行させる。このとき、予備電源部１７には、ＦＣＵ部１４の一部にのみ、電力を供給させていることから、その予備電源部１７への指示は行われない。
【００６０】
一方、Ｓ５４では、ＣＰＵ１４１は、予備電源部１７に指示して、ＦＣＵ部１４全体への電力供給を再開させ、回線Ｉ／Ｆ部１４４に画情報の受信を行わせる。次に、ＣＰＵ１４１は、回線Ｉ／Ｆ部１４４が受信した画情報をＤＲＡＭ１４２に蓄積する。その後、図６のＳ６１に移行する。
【００６１】
図６のＳ６１では、ＣＰＵ１４１は、予備電源部１７から残量情報を取得し、取得した残量情報が表す蓄電残量がα％以上か否か判定する。このαは、蓄電残量を特に意識する必要性が低い値として設定された値である。残量情報が表す蓄電残量がα％以上であった場合、Ｓ６１の判定はＹＥＳとなってＳ６２に移行する。その残量情報が表す蓄電残量がα％未満であった場合、Ｓ６１の判定はＮＯとなってＳ６５に移行する。
【００６２】
Ｓ６２では、ＣＰＵ１４１は、操作部１３のＣＰＵ２０１に対し、ＦＡＸステータスＬＥＤ２１１ａの点灯を指示する。次にＣＰＵ１４１は、回線Ｉ／Ｆ部１４４に対し、ブザー音を所定時間、スピーカ３１に放音させるための指示を行う（Ｓ６３）。その後、ＣＰＵ１４１は、Ｓ６４の実行により、ａ時間待機し、上記Ｓ６１に戻る。このａ時間内では、ブザー音は放音されない。
【００６３】
Ｓ６５では、ＣＰＵ１４１は、予備電源部１７から残量情報を取得し、取得した残量情報が表す蓄電残量がβ％以上α％未満か否か判定する。ここでのβは、蓄電残量を意識する必要性が高い値として設定された値である。残量情報が表す蓄電残量がβ％以上α％未満であった場合、Ｓ６５の判定はＹＥＳとなってＳ６６に移行する。その残量情報が表す蓄電残量がβ％未満であった場合、Ｓ６５の判定はＮＯとなってＳ６９に移行する。
【００６４】
Ｓ６６では、ＣＰＵ１４１は、操作部１３のＣＰＵ２０１に対し、ＦＡＸステータスＬＥＤ２１１ａの点灯を指示する。次にＣＰＵ１４１は、回線Ｉ／Ｆ部１４４に対し、ブザー音を所定時間、スピーカ３１に放音させるための指示を行う（Ｓ６７）。その後、ＣＰＵ１４１は、Ｓ６８の実行により、ｂ時間待機し、上記Ｓ６５に戻る。このｂ時間内では、ブザー音は放音されない。また、Ｓ６７でスピーカ３１にブザー音を放音させる所定時間は、Ｓ６３での所定時間以下の時間であり、この２つの所定時間は同じでなくとも良い。
【００６５】
Ｓ６９では、ＣＰＵ１４１は、操作部１３のＣＰＵ２０１に対し、ＦＡＸステータスＬＥＤ２１１ａの点灯を指示する。その後、この受信制御処理が終了する。それにより、操作部１３のＣＰＵ２０１は、以降、指示された内容でＦＡＸステータスＬＥＤ２１１ａの点灯を継続させる。
【００６６】
上記ａ時間と上記ｂ時間の関係は、ｂ＞ａ、である。それにより、例えブザー音の放音時間（所定時間）、及び音量を同じとしても、この関係から、そのブザー音を放音させるための消費電力量は蓄電残量の減少により抑制される。ＦＡＸステータスＬＥＤ２１１ａの点灯条件、及びブザー音の放音条件を共に同じとした場合、ブザー音の放音間隔（ブザー音が放音されない時間）は、蓄電残量の減少により、２段階で長くなり、ブザー音が放音されない状況では、ＦＡＸステータスＬＥＤ２１１ａのみが点灯することになる。
【００６７】
なお、本実施形態では、ＦＡＸステータスＬＥＤ２１１ａの点灯条件が一定としているが、蓄電残量に応じて、その点灯条件を変更するようにしても良い。また、蓄電残量が比較的に多い場合、ブザー音を放音させ、蓄電残量が比較的に少ない場合、ＦＡＸステータスＬＥＤ２１１ａを点灯させるようにしても良い。ブザー音の放音、及びＦＡＸステータスＬＥＤ２１１ａの点灯のうちの一方により、画情報の受信を通知するようにしても良い。
【００６８】
次に他の実施形態について詳細に説明する。この他の実施形態の構成は、基本的に上記実施形態と同じである。動作も大部分、同じである。このことから、上記実施形態で付した符号を用いて、その実施形態から異なる部分にのみ着目して説明を行う。
【００６９】
この他の実施形態では、停電時のモードとして、図４に示すように、停電スタンバイモードＭ１０を用意し、停電エンジンオフモードＭ７との間で遷移可能とさせている。
【００７０】
操作部１３は、表示装置としてＬＣＤ２０４を備えている。この停電スタンバイモードＭ１０は、そのＬＣＤ２０４を用いて画情報をユーザが確認できるように設けたモードである。
【００７１】
ＦＣＵ部１４に蓄積されている画情報の操作部１３への転送は、コントローラ部１２を介して行うようにしている。このことから、停電スタンバイモードＭ１０時には、ＦＣＵ部１４、操作部１３に加えて、コントローラ部１２にも予備電源部１７からの電力が供給される。
【００７２】
蓄積された画情報の表示指示は、例えば操作部１３が備えるキー群２１９、或いはタッチパネル２０８を操作することで行うことができる。その表示指示のための操作が行われた場合、ＣＰＵ２０１は、Ｉ／Ｆコントローラ２０６を介して、その旨をＦＣＵ部１４に通知する。
【００７３】
ＦＣＵ部１４のＣＰＵ１４１は、その通知により、停電エンジンオフモードＭ７から停電スタンバイモードＭ１０に遷移させる。予備電源部１７に指示して、コントローラ部１２に電力を供給させ、コントローラ部１２を介して、蓄積した画情報を操作部１３に転送する。それにより、操作部１３は、ＦＣＵ部１４からの画情報をＬＣＤ２０４上に表示させる。
【００７４】
この画情報の表示により、ＰＳＵ１５からの電力供給が停止している状況下でも、ユーザは画情報の内容と共に、その緊急性の度合いを確認することができる。それにより、ユーザはより適切な対応をより容易に行えるようになることから、ユーザに対し、より高い利便性を提供することになる。
【００７５】
この他の実施形態では、受信制御処理の図６以降が上記実施形態から異なっている。次に、この図６の代わりに実行される部分について、図７に示すその部分のフローチャートを参照して詳細に説明する。
【００７６】
他の実施形態では、図５のＳ５５の処理の実行後、図７のＳ７１に移行する。そのＳ７１では、ＣＰＵ１４１は、操作部１３のＣＰＵ２０１に対し、ＦＡＸステータスＬＥＤ２１１ａの点灯を指示する。
【００７７】
次にＣＰＵ１４１は、蓄積されている画情報の表示指示が検出されたか否か判定する。上記のように、ユーザが操作部１３のキー群２１０、或いはタッチパネル２０８を操作して、その画情報の表示指示を行った場合、その旨が操作部１３からＦＣＵ部１４に通知される。このことから、その場合、判定はＹＥＳとなってＳ７３に移行する。その表示指示をユーザが行っていない場合、判定はＮＯとなり、再度、Ｓ７２の判定処理を実行する。それにより、ユーザが行う画情報の表示指示への対応が可能な状態を維持する。
【００７８】
Ｓ７３への移行は、停電エンジンオフモードＭ７から停電スタンバイモードＭ１０への遷移に相当する。そのＳ７３では、ＣＰＵ１４１は、予備電源部１７に対し、コントローラ部１２への給電を指示する。次にＣＰＵ１４１は、コントローラ部１２に対し、画情報の操作部１３への転送を依頼し、画情報をコントローラ部１２に送信する（Ｓ７４）。
【００７９】
その画情報の送信により、操作部１３のＣＰＵ２０１は、コントローラ部１２を介して受信する画情報をＬＣＤ２０４上に表示させる。それにより、ユーザは、蓄積された受信済みの画情報の内容を確認することができる。
【００８０】
ＣＰＵ２０１は、ＲＯＭ２０２に格納されているプログラムをＲＡＭ２０３に読み出して実行する。ＬＣＤ２０４に表示させた内容は、タッチパネル２０８、或いはキー群２１０への操作に応じて更新する。このことから、他の実施形態における表示制御部は、ＣＰＵ２０１、ＲＯＭ２０２、ＲＡＭ２０３、タッチパネル２０８、タッチパネルコントローラ２０９、キー入力コントローラ２０５、キー群２１０、及びバス２１２によって実現される。
【００８１】
画情報の送信が終了した後、ＣＰＵ１４１は、予備電源部１７に指示して、コントローラ部１２への電力供給を停止させる（Ｓ７５）。その後、上記Ｓ７２に戻る。このＳ７２への移行は、停電スタンバイモードＭ１０から停電エンジンオフモードＭ７への遷移に相当する。
【００８２】
このように、他の実施形態では、画情報の転送に必要な場合にのみ、コントローラ部１２への電力供給を行うようにしている。これは、コントローラ部１２への電力供給により、予備電源部１７による動作可能時間が短くなるのを抑制するためである。
【００８３】
なお、本実施形態（上記実施形態、及び他の実施形態）では、画情報の受信の通知に操作部１３を用いているが、操作部１３を必ず用いる必要はない。これは、ブザー音等の音声による通知のみを行っても良く、或いはＦＡＸステータスＬＥＤ２１１ａの点灯をＦＣＵ部１４に行わせても良いからである。
【００８４】
また、画情報の操作部１３への転送は、コントローラ部１２を介して行っているが、このコントローラ部１２を介すこと無く、操作部１３への画情報の転送を行っても良い。ブザー音を放音させるスピーカ３１、及びＦＡＸステータスＬＥＤ２１１ａは共に、画像形成装置１に搭載させなくとも良い。つまり、スピーカ３１、及びＦＡＸステータスＬＥＤ２１１ａは、画像形成装置１とは別に用意されたものであっても良い。
【００８５】
また、画情報の送受信は、公衆回線を介して行うようになっているが、その画情報の送受信は、公衆回線とは異なるネットワークを介して行うものであっても良い。そのネットワークは、例えばＮＩＣ１３０を介して通信可能なものであっても良い。
【符号の説明】
【００８６】
１    画像形成装置
１１    電源プラグ
１２    コントローラ部
１３    操作部
１４    ＦＣＵ部
１５    エンジン部
１６    ＰＳＵ
１７    予備電源部
３１    スピーカ
１２１、２０１、１４１    ＣＰＵ
１２２    ＮＢ
１２３，１３２    ＡＳＩＣ
１２４、１２５    メモリ
１２６    ハードディスク装置
１２７    ＳＢ
１２８、２１２、１４７    バス
１２９、１４３    マイコン
１４２    ＤＲＡＭ
１４４    回線Ｉ／Ｆ部
１４５    ＳＲＡＭ
１４６    ＦｅＲＡＭ
１４６ａ    受信制御プログラム
２０２    ＲＯＭ
２０３    ＲＡＭ
２０４    ＬＣＤ
２０５    キー入力コントローラ
２０６    Ｉ／Ｆコントローラ
２０７    ＬＥＤコントローラ
２０８    タッチパネル
２０９    タッチパネルコントローラ
２１０    キー群
２１１    ＬＥＤ群
２１１ａ    ＦＡＸステータスＬＥＤ
３０１    モデム
３０２    ＳｉＤＤＡ（ＳＳＤ）
３０５    スピーカ駆動回路
３０９    オフフック検出回路
３１０  極性反転検出回路
【先行技術文献】
【特許文献】
【００８７】
【特許文献１】特開２０１３−１９８１２２号公報
【図１】
2018022982.tif 000003
【図２】
2018022982.tif 000004
【図３】
2018022982.tif 000005
【図４】
2018022982.tif 000006
【図５】
2018022982.tif 000007
【図６】
2018022982.tif 000008
【図７】
2018022982.tif 000009